(57)【要約】【課題】不特定多数の人からのコメント件数に基づき再生時間を短縮して動画を再生する、動画再生システムの提供。【解決手段】動画モニタ装置１が動画を表示し、動画モニタ装置１に表示された動画を見た不特定多数の人がツイッター（登録商標）等でコメントをコメント発信用端末２からインターネット５経由で動画時短編集装置４に送信し、動画時短編集装置４が集計したコメント件数をしきい値と比較し、コメント件数がしきい値以上になった部分を含む範囲の動画及び音声等の音を繋ぎ合わせた編集画像を動画時短編集装置４が作成した状態において、動画閲覧用端末３の利用者が配信要求をインターネット５経由で動画時短編集装置４に送信すると、動画時短編集装置４が編集画像をインターネット５経由で配信要求の有った動画閲覧用端末３に配信し、動画閲覧用端末３の表示部１１及スピーカ１２が配信された編集画像を表示する。【選択図】図１
2017212626.tif 000002
【特許請求の範囲】
【請求項１】
動画モニタ装置、コメント発信用端末、動画閲覧用端末、動画時短編集装置、インターネットを具備した動画再生システムであって、前記動画モニタ装置が動画を表示し、前記動画時短編集装置が前記動画モニタ装置で表示される動画を記憶し、前記動画モニタ装置に表示された動画を見た不特定多数の人がコメントを前記コメント発信用端末から前記インターネット経由で前記動画時短編集装置に送信し、前記動画時短編集装置が集計したコメント件数をしきい値と比較し、コメント件数がしきい値以上になった部分を含む範囲の動画及び音声等の音を繋ぎ合わせた編集画像を前記動画時短編集装置が作成した状態において、前記動画閲覧用端末が配信要求を前記インターネット経由で前記動画時短編集装置に送信し、前記動画時短編集装置が編集画像を前記インターネット経由で前記配信要求の有った前記動画閲覧用端末に配信し、前記動画閲覧用端末が配信された編集画像を表示することを特徴とする動画再生システム。
【請求項２】
動画時短編集装置が編集画像を作成する場合に、再生時間が予め設定された時間となるように編集画像を作成することを特徴とする請求項１記載の動画再生システム。
【発明の詳細な説明】
【技術分野】
【０００１】
本発明は、再生時間を短縮して動画を再生する、動画再生システムに関する。
【背景技術】
【０００２】
特許文献１で開示された動画再生装置は、図４に示したように、動画再生装置に収録された動画例えばサッカーゲームを時刻ｔ１から早送りでモニタ装置に再生し、その再生された動画を視聴している人が興味を持った場面、例えば時刻ｔ２でのゴールシーンの時に操作部を操作し、時刻ｔ３で人的入力が動画再生装置に入力されると、当該人的入力の入力された時刻ｔ３から動画再生装置の動作の遅延した時刻ｔ４よりも過去に遡った時刻ｔ５から上記入力された時刻ｔ３，ｔ４を含む時刻ｔ６までの範囲の動画を通常速度で再生し、その後前記時刻ｔ６から、再び、早送りで再生するようになっている。
【０００３】
しかしながら、特許文献１で開示された動画再生装置は、収録された動画の全場面を早送りと通常速度とで再生するため、再生時間を早送りよりも短縮できない。
【先行技術文献】
【特許文献】
【０００４】
【特許文献１】特開２０１４−１４２９８５号公報
【発明の概要】
【発明が解決しようとする課題】
【０００５】
本発明は、上記背景技術に鑑みてなされたものであり、不特定多数の人からのコメント件数に基づき再生時間を短縮して動画を再生する、動画再生システムの提供を目的とする。
【課題を解決するための手段】
【０００６】
本発明は、動画モニタ装置、コメント発信用端末、動画閲覧用端末、動画時短編集装置、インターネットを具備した動画再生システムであって、前記動画モニタ装置が動画を表示し、前記動画時短編集装置が前記動画モニタ装置で表示される動画を記憶し、前記動画モニタ装置に表示された動画を見た不特定多数の人がコメントを前記コメント発信用端末から前記インターネット経由で前記動画時短編集装置に送信し、前記動画時短編集装置が集計したコメント件数をしきい値と比較し、コメント件数がしきい値以上になった部分を含む範囲の動画及び音声等の音を繋ぎ合わせた編集画像を前記動画時短編集装置が作成した状態において、前記動画閲覧用端末が配信要求を前記インターネット経由で前記動画時短編集装置に送信し、前記動画時短編集装置が編集画像を前記インターネット経由で前記配信要求の有った前記動画閲覧用端末に配信し、前記動画閲覧用端末が配信された編集画像を表示することを特徴とする。本発明の動画再生システムで再生される動画としては、テレビで放送されるドラマ、ニュース、運動競技等のあらゆる動画が適用可能である。
【発明の効果】
【０００７】
本発明は、不特定多数の人からのコメント件数に基づき再生時間を短縮して動画を再生することができる。例えば、前日見忘れた番組であっても通勤の電車内で視聴することができる。本発明において、動画時短編集装置が編集画像を作成する場合に、再生時間が予め設定された時間となるように編集画像を作成すれば、再生時間が最短となるように、再生時間を短くすることができる。
【図面の簡単な説明】
【０００８】
【図１】発明を実施するための形態に係る動画再生システムを示したブロック図。
【図２】発明を実施するための形態に係る動画再生システムの動画再生を示し、Ａ図は動画構成の図表、Ｂ図はコメント件数推移の図表、Ｃ図は再生時間の短縮された動画構成の図表。
【図３】発明を実施するための形態に係る動画再生システムでのサッカーゲームの動画再生を示し、Ａ図は動画構成の図表、Ｂ図はコメント件数推移の図表、Ｃ図は再生時間の短縮された動画構成の図表。
【図４】特許文献１で開示された動画再生システムを示したブロック図。
【発明を実施するための形態】
【０００９】
図１に示した発明を実施するための形態に係る動画再生システムは、動画モニタ装置１、コメント発信用端末２、動画閲覧用端末３、動画時短編集装置４、インターネット５を具備する。動画モニタ装置１としては、テレビ受像機、動画再生機能を備えたコンピュータによる表示器等が適用可能である。
【００１０】
動画閲覧用端末３としては、携帯型に限定されるものでないが、スマートフォンや動画再生機能を備えた携帯電話機等の電話機又はタブレット等であれば、通勤や移動中でも、再生時間の短縮された再生動画を視聴できる。
【００１１】
動画閲覧用端末３は、表示部１１、スピーカ１２、操作部１３を具備する。動画時短編集装置４は、コメント集計部１６、再生部１７、編集部１８、記憶部１９を具備する。記憶部１９は、録画記憶部２１、コメント記憶部２２、編集画記憶部２３、しきい値記憶部２４を具備する。
【００１２】
このような構成において、動画モニタ装置１が動画を表示し、動画時短編集装置４が動画モニタ装置１で表示される動画を記憶した状態において、前記動画モニタ装置１に表示された動画を見た不特定多数の人がツイッター（登録商標）等のＳＮＳを利用して動画に対する意見や論評等のコメントをコメント発信用端末２からインターネット５経由で動画時短編集装置４に送信し、動画時短編集装置４のコメント集計部１６がコメント件数を集計してコメント記憶部２２に記憶する。
【００１３】
そして、動画時短編集装置４の編集部１８が前記記憶されたコメント件数をしきい値記憶部２４に記憶されたしきい値と比較し、コメント件数がしきい値以上になった部分を含む範囲の動画及び音声等の音を繋ぎ合わせた編集画像を作成して編集画記憶部２３に記憶する。
【００１４】
前記編集部１８が編集画像を作成する場合に、再生時間が予め設定された時間となるように編集画像を作成すれば、再生時間が最短となるように、再生時間を短くすることができる。
【００１５】
前記編集画像が編集画記憶部２３に記憶された状態において、動画閲覧用端末３の利用者が動画閲覧用端末３の操作部１３を操作して配信要求をインターネット５経由で動画時短編集装置４に送信する。
【００１６】
すると、動画時短編集装置４の再生部１７が編集画記憶部２３から編集画像を抽出してインターネット５経由で配信要求の有った動画閲覧用端末３に配信し、動画閲覧用端末３の表示部１１及スピーカ１２が配信された編集画像を表示する。
【００１７】
これによって、動画閲覧用端末３の利用者が上記表示部１１及びスピーカ１２で表示された編集画像及び声等の音を視聴することができる。
【００１８】
図１に示した動画モニタ装置１によれば、動画モニタ装置１がテレビ放送局から放送された動画を表示するとともにその表示された動画をインターネット５経由で動画時短編集装置４に送信し、動画時短編集装置４が動画モニタ装置１から送信された動画を録画記憶部２１に記憶する場合を例示したが、これに限定されるものではない。
【００１９】
例えば、動画時短編集装置４がテレビ放送局に設置されている場合は、テレビ放送局が動画モニタ装置１に放送する動画をインターネット５を経由しないで動画時短編集装置４にも送信し、動画時短編集装置４が動画モニタ装置１に放送された動画と同じ動画を録画記憶部２１に記憶するようにしても良い。
【００２０】
図２に示した発明を実施するための形態に係る動画再生システムの動画再生においては、図２のＡ図に示したように通常の再生速度で再生した場合における動画構成として起承転結を具備し、通常の再生速度で再生した場合における再生時間がＴ１であるとする。
【００２１】
図２のＢ図に示したようにコメント件数の推移として、図２のＡ図の「起」の終盤にしきい値以上になった第１次上昇、図２のＡ図の「承」の始めにしきい値以上になった第２次上昇、図２のＡ図の「転」の中盤にしきい値以上になった第３次上昇、図２のＡ図の「結」始めにしきい値以上になった第４次上昇が発生したとする。
【００２２】
すると、図２のＣ図に示したように再生時間の短縮された動画構成の編集画像が作成される。図２のＣ図に示した再生時間の短縮された動画構成の編集画像は、図２のＢ図における第１次乃至第４次上昇の起承転結を含む再生時間がＴ２（Ｔ１＞Ｔ２）と短縮される。さらに、再生時間Ｔ２が予め設定された時間であれば、再生時間Ｔ２が予め設定された時間でない場合と比べ、再生時間を短くすることができる。例えば、第１次上昇による再生時間＝１０秒、第２次上昇による再生時間＝２０秒、第３次上昇による再生時間＝１５秒、第４次上昇による再生時間＝１０秒である場合には、再生時間Ｔ２＝１０＋２０＋１５＋１０＝５５秒になる。予め設定された時間がＴ２＝４０秒であれば、再生時間Ｔ２＝５５秒を４０秒に編集することができ、再生時間Ｔ２が５５秒から４０秒に短縮できる。
【００２３】
図２における時間Ｔ１が６０分で、再生時間Ｔ２が１０分であるというように、図１に示した動画モニタ装置１により６０分で表示されたドラマ等の動画を動画閲覧用端末３の利用者が動画閲覧用端末３により１０分で再生して視聴することができる。
【００２４】
図３に示した発明を実施するための形態に係る動画再生システムでのサッカーゲームの動画再生においては、図３のＡ図に示したように通常の再生速度で再生した場合における動画構成として２回のゴールを具備し、通常の再生速度で再生した場合における再生時間がＴ３であるとする。
【００２５】
図３のＢ図に示したようにコメント件数の推移として、図３のＡ図の開始直後にしきい値を僅かに越え、図３のＡ図の第１回目のゴール直後にしきい値以上になった第１次上昇、図３のＡ図の第２回目のゴール直後にしきい値以上になった第２次上昇が発生したとする。
【００２６】
すると、図３のＣ図に示したように再生時間の短縮された動画構成の編集画像が作成される。図３のＣ図に示した再生時間の短縮された動画構成の編集画像は、図３のＢ図における開始直後、第１次上昇、第２次上昇を含む再生時間がＴ４（Ｔ３＞Ｔ４）と短縮される。
【００２７】
図３における時間Ｔ１が２乃至３時間で、再生時間Ｔ２が１０分であるというように、図１に示した動画モニタ装置１により２乃至３時間で表示されたサッカーゲーム等の運動競技を動画閲覧用端末３の利用者が動画閲覧用端末３により１０分で再生して視聴することができる。
【符号の説明】
【００２８】
１    動画モニタ装置
２    コメント発信用端末
３    動画閲覧用端末
４    動画時短編集装置
５    インターネット
１１  表示部
１２  スピーカ
１３  操作部
１６  コメント集計部
１７  再生部
１８  編集部
１９  記憶部
２１  録画記憶部
２２  コメント記憶部
２３  編集画記憶部
２４  しきい値記憶部
【図１】
2017212626.tif 000003
【図２】
2017212626.tif 000004
【図３】
2017212626.tif 000005
【図４】
2017212626.tif 000006